(57)【特許請求の範囲】
【請求項１】
リッププレートを備えた木管楽器において、
前記リッププレートの表面で唇が当たる部位に滑り防止用シールを着脱可能に貼着したことを特徴とする木管楽器。
【請求項２】
請求項１記載の木管楽器において、
滑り防止用シールの表面に滑り防止部が形成されていることを特徴とする木管楽器。
【請求項３】
請求項１記載の木管楽器において、
滑り防止用シールは、滑り難い素材によって形成されていることを特徴とする木管楽器。
【発明の詳細な説明】
【０００１】
【発明の属する技術分野】
本発明は、フルート、ピッコロ等のリッププレートを備えた木管楽器に関するものである。
【０００２】
【従来の技術】
フルートは、息を頭部管の歌口より吹き込み、胴部管と足部管に形成した複数の音孔を鍵機構によって選択的に開閉制御することにより演奏するものである。この場合、金属製のフルートは、気息の抵抗をよくするためにリッププレートと呼ばれる台座を歌口部に備えており、このリッププレートを下唇に軽く当てて演奏する構成を採っている。
【０００３】
図２は従来のフルートの管本体を構成する頭部管の斜視図、図３は図２のIII −III 線断面図、図４は図２のＩＶ−ＩＶ線断面図である。これらの図において、１はフルートの頭部管で、この頭部管１は両端開放の円筒管からなり、上面に歌口３を有するリッププレート２が取付けられ、一端にピッチ（音高）調整用のヘッドキャップ（ヘッドスクリュー）４が取付けられ、他端に抜差管５が接続されている。
【０００４】
リッププレート２は、銀、Ｋ１４金、洋白（胴とニッケルの合金）等によって形成された楕円形の平らなプレートをその長軸をフルートの軸線方向と一致させて頭部管１の外周面に沿って折り曲げ、歌口３を頭部管１の外周面にロー付けしたもので、下唇６に当たる前端部２Ａが後端部２Ｂより長くなるように形成されている。歌口３は楕円形の筒状体からなり絞り加工によってリッププレート２と一体に形成されている。
【０００５】
【発明が解決しようとする課題】
上記した従来のフルートにおいては、リッププレート２が金属製であるため、練習時または演奏時にリッププレート２に水分等（主に唾液、汗）が付着すると、下唇６とリッププレート２が滑り易く、演奏し難いという問題があった。特に、フルートの音程は、下唇６から歌口３の後端側エッジ３ａまでの距離と、歌口３に吹き込まれる空気の速度によって決まるため、下唇６とリッププレート２が滑ると下唇６から前記後端側エッジ３ａまでの距離が変化し、結果として音程が変化する。この場合、距離が長くなると音程は高くなり、反対に長くなると低くなる。
【０００６】
そこで、従来はフルートの装飾性を高めるとともに滑り止めを目的としてリッププレート２の表面、特に前端部２Ａの表面に花柄模様、図案等の彫刻７を施していた。
しかし、彫刻７は楽器の製造時に施されるものであるため、奏者の好みに合わない場合に変えることができず、また一般に彫りが細くて浅いため十分な滑り止め効果が得られないという問題があった。
【０００７】
本発明は上記した従来の問題を解決するためになされたもので、その目的とするところは、簡単な構造で唇の滑りを確実に防止することができ演奏し易い木管楽器を提供することにある。
【０００８】
【課題を解決するための手段】
上記目的を達成するために第１の発明は、リッププレートを備えた木管楽器において、前記リッププレートの表面で唇が当たる部位に滑り防止用シールを着脱可能に貼着したことを特徴とする。
【０００９】
第２の発明は、上記第１の発明において、滑り防止用シールの表面に滑り防止部が形成されていることを特徴とする。
【００１０】
第３の発明は、上記第１の発明において、滑り防止用シールは、滑り難い素材によって形成されていることを特徴とする。
【００１１】
第１、第２、第３の発明において、滑り防止用シールは唾液、汗等の水分が付着しても、唇を滑り難くする。滑り防止用シールは糊、粘着剤等によって貼着され、また簡単に剥がすことができる。
滑り防止用シールの滑り防止部としては、シール自体に設けた凹凸や、印刷によるインクの凹凸が考えられる。印刷の場合は、シールの材質、色、リッププレートに施されている彫刻と同様な模様の印刷等によって楽器に合わせたデザインが可能である。
滑り難い素材としては、皮革、木皮等が用いられる。また、これら素材の表面に凹凸を形成すると、一層滑り難くすることができる。
【００１２】
【発明の実施の形態】
以下、本発明を図面に示す実施の形態に基づいて詳細に説明する。
図１は本発明に係る木管楽器の一実施の形態を示す要部の斜視図である。なお、図中従来技術において示した構成部材等と同一のものについては、同一符号をもって示し、その説明を適宜省略する。本実施の形態においては、フルートに適用した例を示す。リッププレート２の表面で下唇が当たる部位、すなわち歌口３より前方側（演奏者側）である前端部２Ａの表面には、下唇の滑りを防止する滑り防止用シール１０が着脱可能に貼着されている。
【００１３】
滑り防止用シール１０としては、紙、プラスティックフィルム、皮革、木皮等によって前記前端部２Ａの形状と略相似形でこれより若干小さい形状、具体的には図１に示すように長軸が緩やかに湾曲した長円形に形成され、糊、粘着剤等によって貼着されるか、または爪で擦って貼着される。
【００１４】
滑り防止用シール１０による滑り防止効果は、表面に滑り防止部を形成するか、またはシール自体を滑り難い素材によって形成することにより容易に得ることができる。
【００１５】
図１は滑り防止用シール１０の表面に、インクを厚くかつ太く塗布してリッププレート２に施されている彫刻と同様な花柄模様を印刷し、このインクの凹凸を滑り防止部１１とした例を示す。また、インクによる凹凸に限らずシール１０自体の表面を連続したまたは不連続な多数の凹凸によって粗面に形成し、この粗面を滑り防止部としてもよい。
【００１６】
滑り難い素材によってシールを形成する場合は、皮革、木皮等を用いればよい。また、このような滑り難い素材の表面に上記したようにインクを厚く好ましくは太く塗布して模様を印刷したり、表面自体を粗面に形成すると、一層滑り防止効果を高めることができる。
【００１７】
また、このような滑り防止用シール１０は、シート１２に複数枚貼り付けられた状態で取り扱われることが望ましい。このようにシート１２に貼り付けておくと、シール１０の裏面側に塗布されている糊や粘着剤が手、他の物品等に付着したり、あるいはシート裏面に埃が付着することがないため取扱いが容易でフルートの付属品として取り引きすることができ、何時でも何処でも簡単に剥がして使用することができる。また、水分の付着によって剥がれた場合は、新しいシートと容易に交換することができる。
【００１８】
このように滑り防止用シール１０をリッププレート２の表面に貼着しておくと、下唇が滑らず良好に演奏することができ、滑りにより音程が変化するのを防止することができる。
【００１９】
【発明の効果】
以上述べたように本発明に係る木管楽器によれば、リッププレートに滑り防止用シールを着脱可能に貼着したので、唾液、汗等の水分が付着しても下唇が滑らず良好に演奏することができ、滑りにより音程が変化するのを防止することができる。
また、シールの材質や色を選択したり、シールの表面に印刷を施すことにより、楽器に合わせたデザインが可能である。
さらに、リッププレートの貼着すべき部位の形状、大きさに合わせて滑り防止用シールをカットしておくと、奏者が自分でその都度適当な大きさにカットしたりする必要がなく、リッププレートに簡単に貼着することができる。
【図面の簡単な説明】
【図１】  本発明に係る木管楽器の一実施の形態を示す要部の斜視図である。
【図２】  従来のフルートの管本体を構成する頭部管の斜視図である。
【図３】  図２のIII −III 線断面図である。
【図４】  図２のＩＶ−ＩＶ線断面図である。
【符号の説明】
１…頭部管、２…リッププレート、３…歌口、５…抜差管、１０…滑り防止用シール、１１…滑り防止部、１２…シート。
【図１】
0004123611.tif 000002
【図２】
0004123611.tif 000003
【図３】
0004123611.tif 000004
【図４】
0004123611.tif 000005